(57)【要約】【課題】ＣＤ、ＤＶＤ等の光ディスク装置に用いられているディスク駆動用モータにおいて、ライトスクライブ対応構造の省スペース化、コストダウン、フォトセンサーの位置および高さの高精度化を図ることを目的とする。【解決手段】ステータ基板６に固定されたＦＰＣ製の回路基板７から、反射型フォトセンサー８を実装するフォトセンサー実装部１１を、スペーサ９に沿って折り曲げながら立ち上げて一体に形成するとともに、スペーサ９とフォトセンサー実装部１１およびステータ基板６の位置決めをスペーサ９に形成した位置決めピン１２で行い、フォトセンサー実装部１１に形成したアースランド１４に固定ネジ１０を挿通してステータ基板６に螺合することにより、反射型フォトセンサー８を精度良く位置決め固定すると同時に回路の接地を図ることができる。【選択図】図２
2008236928.tif 000002
【特許請求の範囲】
【請求項１】
光ディスクを搭載するターンテーブルが一体に形成され内壁にロータマグネットを取り付けたロータと、前記ロータマグネットと対向して配置されコイルを巻装したステータコアと、このステータコアが固定されるステータ基板と、少なくとも前記コイルの端末が電気的に接続され前記ステータ基板に重ねて固定される回路基板と、光ディスクのレーベル面側に記録された光ディスクの回転情報を読み取る反射型フォトセンサーとを有し、前記反射型フォトセンサーは前記ステータ基板上にスペーサを介して取り付ける構成のディスク駆動用モータにおいて、前記回路基板をＦＰＣにより形成し、前記反射型フォトセンサーを電気的に接続するフォトセンサー実装部を、前記回路基板から前記スペーサに沿って折り曲げながら立ち上げて一体に形成するとともに、前記スペーサの前記反射型フォトセンサーが配置される位置を挟む一方の側において軸方向上下に突部を形成し、そして前記フォトセンサー実装部および前記ステータ基板の前記突部に対応する位置に穴部をそれぞれ形成して、前記フォトセンサー実装部の穴部を前記軸方向上側の突部に、前記軸方向下側の突部に前記ステータ基板の穴部をそれぞれ挿入して位置決めし、さらに前記スペーサの前記反射型フォトセンサーが配置される位置を挟む他方の側には、前記スペーサを前記ステータ基板に固定するネジを挿通する貫通穴を形成する一方、前記フォトセンサー実装部に前記ネジを挿通する穴と、この穴の周囲にアースランドを形成し、前記ネジにより前記フォトセンサーを前記ステータ基板に固定すると同時に前記アースランドを前記ステータ基板に接地する構成を備えるディスク駆動用モータ。
【発明の詳細な説明】
【技術分野】
【０００１】
本発明は主としてＣＤやＤＶＤ等の情報を記録および再生可能なディスクを回転駆動するモータにおいて、通常の高速回転用とは別に低速回転用（例えばディスクのラベル面に記録・再生を行うレーザー・ヘッドを用いて描画プリントを行う装置等）の回転速度検出手段を持つ構造に関するものである。
【背景技術】
【０００２】
近年、ＣＤ、ＤＶＤ等のディスク装置は、ディスクの大容量化にともない、ディスク駆動用モータも１０，０００ｍｉｎ−１を越える高速度化が求められる反面、従来のオーディオ用ＣＤとの互換性を維持するため低速（例えば１，０００ｍｉｎ-1以下）回転での動作も必要である。通常ディスク装置では、ディスクの記録面に書き込まれたレーザー・ヘッドのトラッキング制御用信号からディスクの回転速度情報を抽出して、これによりディスクを回転駆動するモータの回転速度を制御している。
【０００３】
一方、ＣＤ、ＤＶＤ等のディスク装置の高機能化の一つとして、ディスクの記録面に書き込みを行うレーザー・ヘッドを用いて、記録面の反対側のレーベル面に印刷する機能を持った装置が開発されている。この場合、ディスクの記録面を反転するため、ディスクの記録面に書き込まれたトラッキング制御用信号をレーザー・ヘッドから検出できないので、別途レーベル面にディスクの回転検出用のパターンが予め書き込まれている。この回転検出用のパターンをエンコーダ（検出器）で読み取ってディスクの回転速度情報等を得ている。（例えば特許文献１参照）
上記の特許文献１に記載されたエンコーダを、モータのステータ部であるモータフレーム上に設けたものがある。（例えば特許文献２参照）
図４に上記特許文献２に記載された従来のディスク駆動用モータの断面図を示す。
図４において、モータフレーム４０１上のロータ４０２の近傍にスペーサ４０３を介して回転検出手段４０４（エンコーダ）が取り付けられている。この回転検出手段４０４によりロータ４０２に一体に形成されたターンテーブル４０５上に載置される光ディスクＤのレーベル面に書き込まれたディスクの回転検出用のパターンＭを読み取っている。
【特許文献１】特表２００６−５１４３９９号公報（第３−５頁、図１）
【特許文献２】特開２００６−５０７２７号公報（第６頁、図２）
【発明の開示】
【発明が解決しようとする課題】
【０００４】
しかしながら、上記の特許文献２に記載された、従来のディスク駆動用モータにおいては、レーベル面に印刷する際非常に低速回転で動作する必要が有るので、高い分解能を有する回転速度検出が可能な回転検出手段が必要である。そして、そのような回転検出手段として反射型フォトセンサを使用している。この反射型フォトセンサとしては、入手が容易でコスト的にも有利な標準品を使用することが望ましいが、その場合には、部品高さおよび検出可能な距離に制限がある。従って、ディスク面からの距離を調整するために、別部材のスペーサを用い、このスペーサ上に別基板を設けて、この基板に反射型フォトセンサを実装してモータフレームに取り付けている。モータフレームには回転検出手段である反射型フォトセンサとは別に、ステータのコイルの端末もしくはロータのステータに対する回転位置を検出する手段であるホール素子等を実装する回路基板が取り付けられている。上記回転検出手段を実装する基板とコイルの端末もしくはホール素子を実装する回路基板とは取り付け面の高さが異なるため、両方の取り付け面（基板）間にＦＰＣ等の回路接続部品が必要となり、部品点数、組立工数の増加、組立精度の悪化の要因となっている。
【課題を解決するための手段】
【０００５】
上記課題を解決するために本発明は、光ディスクを搭載するターンテーブルが一体に形成され内壁にロータマグネットを取り付けたロータと、前記ロータマグネットと対向して配置されコイルを巻装したステータコアと、このステータコアが固定されるステータ基板と、少なくとも前記コイルの端末が電気的に接続され前記ステータ基板に重ねて固定される回路基板と、光ディスクのレーベル面側に記録された光ディスクの回転情報を読み取る反射型フォトセンサーとを有し、前記反射型フォトセンサーは前記ステータ基板上にスペーサを介して取り付ける構成のディスク駆動用モータにおいて、前記回路基板をＦＰＣにより形成し、前記反射型フォトセンサーを電気的に接続するフォトセンサー実装部を、前記回路基板から前記スペーサに沿って折り曲げながら立ち上げて一体に形成するとともに、前記スペーサの前記反射型フォトセンサーが配置される位置を挟む一方の側において軸方向上下に突部を形成し、そして前記フォトセンサー実装部および前記ステータ基板の前記突部に対応する位置に穴部をそれぞれ形成して、前記フォトセンサー実装部の穴部を前記軸方向上側の突部に、前記軸方向下側の突部に前記ステータ基板の穴部をそれぞれ挿入して位置決めし、さらに前記スペーサの前記反射型フォトセンサーが配置される位置を挟む他方の側には、前記スペーサを前記ステータ基板に固定するネジを挿通する貫通穴を形成する一方、前記フォトセンサー実装部に前記ネジを挿通する穴と、この穴の周囲にアースランドを形成し、前記ネジにより前記フォトセンサーを前記ステータ基板に固定すると同時に前記アースランドを前記ステータ基板に接地する構成を備えるディスク駆動用モータである。
【発明の効果】
【０００６】
請求項１記載の発明によれば、コイルの端末が接続される回路基板と、光ディスクの回転情報を読み取る反射型フォトセンサーの実装部を一つのＦＰＣで形成できるので、フォトセンサー用の別基板およびこれと電気的に接続するための接続部を省略することができる。
【０００７】
また、スペーサの反射型フォトセンサーが配置される位置の両側面で位置決め及び固定するので、反射型フォトセンサーを確実に位置決めすることができるとともに、ステータ基板に対し反射型フォトセンサーの光軸を垂直に精度良く取り付けることができる。
【０００８】
加えて、固定用のネジでスペーサをステータ基板に固定すると同時に回路基板のアースランドをステータ基板に接地することができるので、部品点数および組立工数の削減をすることができる。
【発明を実施するための最良の形態】
【０００９】
以下、本発明の実施の形態について図を参照して説明する。
（実施の形態１）
図１は本発明の実施の形態１に係るモータの構造断面図である。
図１において、２は光ディスクＤを搭載するターンテーブル１が一体に形成されたロータであり、このロータ２の内壁にはロータマグネット３が取り付けられている。ロータマグネット３と対向して、コイル４を巻装したステータコア５が配置され、このステータコア５はステータ基板６に固定されている。そしてこのステータ基板６には、少なくともコイル４の端末が電気的に接続されたＦＰＣ製の回路基板７が重ねて固定されている。
【００１０】
またステータ基板６のロータ２の外周近傍には、ターンテーブル１に載置される光ディスクＤのレーベル面側に記録された光ディスクＤの回転検出用のパターンＭを読み取る反射型フォトセンサー８が、モータの回転軸方向に光軸を向けて配設され、レーベル面の回転検出用のパターンＭが検出可能範囲となる様にスペーサ９により高さ調整されてステータ基板６上に固定ネジ１０により取り付けられている。そして、回路基板７からスペーサ
９に沿って折り曲げながら立ち上げて回路基板７と一体に形成されたフォトセンサー実装部１１がスペーサ９と反射型フォトセンサー８の間に挿入されており、このフォトセンサー実装部１１に反射型フォトセンサー８の端子が電気的に接続されている。
【００１１】
図２に本発明の実施の形態１に係るモータの斜視図を示す。
図２に示すように、スペーサ９上には、反射型フォトセンサー８を実装する回路基板７のフォトセンサー実装部１１が位置決めピン１２により位置決めされて貼り付けられ、固定ネジ１０によりフォトセンサー実装部１１とスペーサ９をステータ基板６に固定している。
【００１２】
図３に実施の形態１に係るスペーサ９の斜視図を示す。
スペーサ９の反射型フォトセンサー８が配置される位置を挟む一方の側には位置決めピン１２がスペーサ９の上下に突出して形成され、他方の側にはスペーサ９をステータ基板６に固定する固定ネジ１０を挿通する貫通穴１３が形成されている。
【００１３】
図２に示すステータ基板６の位置決めピン１２に対応する位置には穴部（図示せず）が形成され、この穴部にスペーサ９の位置決めピン１２を挿入して位置決めしている。
さらに、図２に示すように、フォトセンサー実装部１１の固定ネジ１０を挿通する穴の周辺にはアースランド１４が形成されており、固定ネジ１０を介してアースランド１４をステータ基板６に電気的に導通させて接地することができる。
【産業上の利用可能性】
【００１４】
モータのステータ基板上のコイル端末を接続する回路基板と軸方向高さが異なる面に取り付ける検出手段を備え、小型化が必要なディスク駆動用モータに有用である。
【図面の簡単な説明】
【００１５】
【図１】本発明の実施の形態１に係るモータの断面図
【図２】本発明の実施の形態１に係るモータの斜視図
【図３】本発明の実施の形態１に係るスペーサの斜視図
【図４】従来のモータの正面図
【符号の説明】
【００１６】
１、４０５  ターンテーブル
２、４０２  ロータ
３  ロータマグネット
４  コイル
５  ステータコア
６  ステータ基板
７  回路基板
８  反射型フォトセンサー
９、４０３  スペーサ
１０  固定ネジ
１１  フォトセンサー実装部
１２  位置決めピン
１３  貫通穴
１４  アースランド
４０１  モータフレーム
４０４  回転検出手段
Ｄ  光ディスク
Ｍ  回転検出用のパターン
【図１】
2008236928.tif 000003
【図２】
2008236928.tif 000004
【図３】
2008236928.tif 000005
【図４】
2008236928.tif 000006